(57)【要約】      （修正有）【課題】疑惑電波の周波数を特定する疑惑電波スペースサーチ装置を提供する。【解決手段】無線受信機１と無線受信機をコントロールする携帯電話（スマートホン）７と携帯電話アプリケーションの携帯電話画面操作と、無線受信機の操作から連続スキャンデータと特定スキャンデータを携帯電話としてのスマートホンでインターネットサーバーに送る仕組みと、インターネットサーバーのデータから検出した周波数の分析を行い疑惑電波周波数を特定する業務と、疑惑電波と新たに特定した周波数を顧客にメールで知らせる業務と、疑惑電波と新たに特定した周波数を携帯電話アプリケーションの特定スキャンに組込んだバージョンアップを行う業務と、疑惑電波の発見業務を行う。【選択図】図１
0003203960.tif 000002
【実用新案登録請求の範囲】
【請求項１】
疑惑電波を受信しうる無線電波受信機と、有線通信またはＢｌｕｅｔｏｏｔｈ通信方式による無線通信で接続された携帯電話としてのスマートホンと、該携帯電話で無線電波受信機から受信した電波のデータを前記携帯電話を介して送信しうるインターネットサーバーとからなることを特徴とする疑惑電波スペースサーチ装置。
【請求項２】
無線電波受信機が、広範囲の領域をカバーする無線受信機であり、携帯電話が前記無線電波受信機の制御や命令を行いうるアプリケーションを有していることを特徴とする請求項１に記載の疑惑電波スペースサーチ装置。
【請求項３】
無線電波受信機と携帯電話との組合せを複数設け、それぞれの無線電波受信機が受信した電波のデータが前記携帯電話に接続されたインターネットサーバーに蓄積されるようになっており、上記蓄積データはこの中から新しい疑惑電波を発見しうるためのデータであることを特徴とする請求項１または２に記載の疑惑電波スペースサーチ装置。
【請求項４】
インターネットサーバーは、携帯電話に新しく発見された疑惑電波をメール送信する機能を有することを特徴とする請求項１から３のいずれかに記載の疑惑電波スペースサーチ装置。
【請求項５】
インターネットサーバに接続されたコンピュータにサーバーアプリケーションが内蔵されており、サーバーアプリケーションは過去データとの比較やユーザー全体からの分析情報を提供する機能を有することを特徴とする請求項１から４のいずれかに記載の疑惑電波スペースサーチ装置。
【考案の詳細な説明】
【技術分野】
【０００１】
本発明は、疑惑電波を無線受信機と携帯電話としてのスマートホン（Ｓｍａｒｔｐｈｏｎｅ）と、携帯電話用アプリケーションによるインターネットサーバーとサーバーアプリケーションによる疑惑電波の分析や無線盗聴器や無線盗撮器を発見する装置であり、携帯電話アプリケーションとインターネットサーバーアプリケーションの管理業務を行うビジネスモデルで使用することができる。
【背景技術】
【０００２】
大手メーカーや研究機関はもちろん、個人でも、無線盗聴器や無線盗撮器による情報漏洩やプライバシーの侵害が、犯罪行為や社会問題になっている。
無線盗聴器や無線盗撮器の発見をして、未然に情報漏洩やプライバシーの侵害が起こらないようにする。
【０００３】
無線受信機をスマートホンのような携帯電話で操作できないか検討していた。
無線受信機と携帯電話、携帯電話用アプリケーションとで無線盗聴器と無線盗撮器を発見できる仕組みと、無線受信機のサーチした周波数をインタネットサーバーに送信してサーバーアプリケーションで分析ができる仕組みの要求に対応した。
【０００４】
ユーザー全体から疑惑電波の周波数がインターネットサーバーに送信する仕組みであるので、新たな疑惑電波周波数がわかり、この周波数をユーザー全体に注意を促す方法に対応した。
【０００５】
新しい疑惑電波の周波数がわかっても、無線受信機の操作は難しく、新しい疑惑電波周波数をセットすることを躊躇してしまうのが現状である。本システムは携帯電話アプリケーションのバージョンアップのみで対応できる構造である。
【先行技術文献】
【特許文献】
【０００６】
【特許文献１】特開２００３−２６３６９２号公報
【考案の概要】
【考案が解決しようとする課題】
【０００７】
本考案の課題は、無線受信機を携帯電話スマートホンとこの携帯電話にインストールしたアプリケーションの画面から簡単操作で無線受信機をコントロールして疑惑電波をサーチする構成が必要になる。
【０００８】
携帯電話スマートホンはインターネットにどこでも簡単に接続できるので、ユーザーが無線盗聴器と無線盗撮器が設置されていそうな箇所で探索が可能な小型化と電源ケーブルレスでも使用できるようにする。
【０００９】
ユーザー全体で新しい疑惑電波周波数を共有する事と、速やかに知らせる構成と、ユーザーが意識しないで新しい疑惑電波周波数を検知できる装置を提供する必要がある。
【００１０】
本考案の目的は、ユーザーの利便性と操作性を重視したインターネットサーバーとサーバーアプリケーションを使用した情報取集技術により、ユーザー全体に情報収集した情報の提供をしようとするものである。
【課題を解決するための手段】
【００１１】
本考案の目的を実現するために、請求項１の考案では、
疑惑電波を受信しうる無線電波受信機と、有線通信またはＢｌｕｅｔｏｏｔｈ通信方式による無線通信で接続された携帯電話としてのスマートホンと、該携帯電話で無線電波受信機から受信した電波のデータを携帯電話を介して送信しうるインターネットサーバーとからなることを特徴とする。
【００１２】
請求項２の考案では、
前記無線電波受信機が、広範囲の領域をカバーする無線受信機であり、携帯電話が前記無線電波受信機の制御や命令を行いうるアプリケーションを有していることを特徴とする。
【００１３】
請求項３の考案では、
前記無線電波受信機と携帯電話との組合せを複数設け、それぞれの無線電波受信機が受信した電波のデータが前記携帯電話に接続されたインターネットサーバーに蓄積されるようになっており、上記蓄積データはこの中から新しい疑惑電波を発見しうるためのデータであることを特徴とする。
【００１４】
請求項４の考案では、
前記インターネットサーバーは、携帯電話に新しく発見された疑惑電波をメール送信する機能を有することを特徴とする。
【００１５】
請求項５の考案では。
前記インターネットサーバに接続されたコンピュータにサーバーアプリケーションが内蔵されており、サーバーアプリケーションは過去データとの比較やユーザー全体からの分析情報を提供する機能を有することを特徴とする。
【考案の効果】
【００１６】
本考案の疑惑電波スペースサーチ装置は、上記した構成において、ユーザーが無線盗聴器や無線盗撮器による情報漏洩やプライバシー侵害を防止したい場所に設置し、連続サーチで検出した周波数と信号強度の情報をインターネットサーバーに送信し、新たな疑惑電波周波数を割り出し、ユーザー全体に新しい特定周波数が組込まれた携帯電話ソフトウェアのバージョンアップを行い、ユーザーは何時でもどこでも簡単に短時間で特定周波数をサーチして無線盗聴器と無線盗撮器が仕掛けられていないことを確認できる。
【図面の簡単な説明】
【００１７】
【図１】本考案による情報収集システムと携帯電話スマートホンの実施形態を示す図。
【図２】本考案による情報収集システムと疑惑電波分析システムと全ユーザー送信システムの構成を示した図。
【考案を実施するための最良の形態】
【００１８】
以下本考案の実施例を図面を参照しながら説明する。
【実施例１】
【００１９】
図１は、本考案の疑惑電波スペースサーチ装置を示すもので、無線受信機１と携帯電話として示すスマートホン７とを接続したブロック図を示すものである。
図２は、複数の疑惑電波スペースサーチ装置と、インターネットサーバー８と、サーバーアプリケーション９を有するコンピューターとからなり、情報収集システムと疑惑電波分析システムと全ユーザー送信システムを構成するブロック図である。
【００２０】
図１において、疑惑電波スペースサーチ装置は、無線受信機１と携帯電話のスマートホン７とから構成される。
無線受信機１はコンピュータ構成からなっており、アンテナ５と、アンテナ５に接続された受信部２と、無線受信機１を制御するＣＰＵ３と、携帯電話７とデータの送受信するＢｌｕｅｔｏｏｔｈ（登録商標）通信方式４による無線通信機能、またはケーブル６による有線通信機能とからなっている。
即ち、無線の受信部２は、ＣＰＵ３で制御され、外部からの制御コマンドによって受信機能による受信結果をＢｌｕｅｔｏｏｔｈ（登録商標）通信方式４による無線通信接続やケーブル６接続で携帯電話７と接続する。
携帯電話７は、本実施例ではインターネット機能を有するスマートホンからなっており、図示省略のアプリケーションとしての疑惑電波スペースサーチのためのアプリケーションをインストールしている。
この携帯電話アプリケーションから制御コマンドを送受信して、受信部２の制御を行い疑惑電波スキャンにより発見された無線盗聴器や無線盗撮器の周波数や信号強度を携帯電話７を介してインターネットサーバー８に送信することができる。
【００２１】
本実施例の疑惑電波スペースサーチ装置は、前述のように、電波を受信アンテナ５から受信部２と受信部２を制御するＣＰＵ３と外部接続用Ｂｌｕｅｔｏｏｔｈ（登録商標）４通信方式を一体型とした無線受信機１と、該無線受信機１にケーブル６やＢｌｕｅｔｏｏｔｈ（登録商標）通信方式４で接続された携帯電話としてのスマートホン７と、携帯電話７に内蔵されたアプリケーション(図示せず）により構成されている。
【００２２】
図２において、無線受信機のような情報収集システム１と携帯電話スマートホン７の複数の組合せ（説明の便宜上、図２では１Ａと７Ａ、１Ｂと７Ｂ、１Ｃと７Ｃとする）は、ユーザーが疑惑電波を検診したいところに設置し、疑惑電話スキャンにより発見された無線盗聴器や無線盗撮器の周波数や信号強度、ＧＰＳ位置情報等を各無線受信機１と携帯電話７からインターネットサーバー８に送信される。
各無線受信機１と携帯電話７からの情報をサーバーアプリケーション９が内蔵されたコンピュータで分析や各ユーザー管理をする構成である。
【００２３】
本実施形態のサーバーアプリケーション９は、ユーザーの検診した設置場所や周波数と信号強度をデータベース化し、前回の検診結果と今回の検診結果から分析し新たな疑惑電波が発見できる。
【００２４】
次に、サーバーアプリケーション９で発見した新たな疑惑電波を全ユーザーが共有するために携帯電話７のアプリケーションの特定周波数に組込んでバージョンアップを行えば新たな疑惑電波をサーチして無線盗聴器や無線盗撮器による情報漏洩やプライバシーの侵害を少なくすることができる。
【００２５】
携帯電話アプリケーションのバージョンアップは全ユーザーにメールで知らせるので速やかに簡単操作で処理ができる。
【産業上の利用可能性】
【００２６】
本考案は、無線盗聴器や無線盗撮器による情報漏洩やプライバシー侵害を防止したい企業や個人向けのセキュリティシステムである。
【符号の説明】
【００２７】
１  無線受信機
２  受信部
３  ＣＰＵ
４  Ｂｌｕｅｔｏｏｔｈ（登録商標）
５  アンテナ
６  ケーブル
７  携帯電話スマートホン
８  インターネットサーバー
９  サーバーアプリケーション
【図１】
0003203960.tif 000003
【図２】
0003203960.tif 000004